(57)【特許請求の範囲】
【請求項１】
受信信号から遅延プロファイルを求める遅延プロファイル生成手段と、
複数タイミングの受信信号を合成しうる合成手段と、
前記遅延プロファイル生成手段で求められた遅延プロファイルに基づいて、前記受信信号の伝搬環境がマルチパス環境か否かを判定する判定手段と、
前記判定手段にて前記伝搬環境がマルチパス環境でないと判定されると、前記遅延プロファイルにおいて所定閾値以下の電力のタイミングの信号を前記合成手段での非合成対象の信号とする足切り処理を行なう一方、前記判定手段にて前記伝搬環境がマルチパス環境であると判定されると、前記足切り処理を行なわない制御手段と、
をそなえたことを特徴とする、受信機。
【請求項２】
前記判定手段は、
前記遅延プロファイルにおいて最大電力を示すパスタイミングの電力と他の複数のパスタイミングの電力和との比が所定の基準値を超えていると、前記伝搬環境がマルチパス環境でないと判定することを特徴とする、請求項１記載の受信機。
【請求項３】
前記判定手段は、
前記遅延プロファイルにおいて最大電力を示すパスタイミングの電力と２番目に大きい電力を示すパスタイミングの電力との比が所定の基準値を超えていると、前記伝搬環境がマルチパス環境でないと判定することを特徴とする、請求項１記載の受信機。
【請求項４】
前記制御手段は、
前記所定閾値以下の電力のパスタイミングの信号についての前記合成手段での重み付け合成係数を０にすることにより当該信号を前記非合成対象の信号とすることを特徴とする、請求項１〜３のいずれか１項に記載の受信機。
【請求項５】
前記合成手段で合成されうる複数タイミングの受信信号は、前記遅延プロファイルにおけるパスタイミングの信号であることを特徴とする、請求項１〜４のいずれか１項に記載の受信機。
【請求項６】
受信信号から遅延プロファイルを求める遅延プロファイル生成過程と、
複数タイミングの受信信号を合成しうる合成過程と、
前記遅延プロファイル生成手段で求められた遅延プロファイルに基づいて、前記受信信号の伝搬環境がマルチパス環境か否かを判定する判定過程と、
前記判定過程にて前記伝搬環境がマルチパス環境でないと判定されると、前記遅延プロファイルにおいて所定閾値以下の電力のタイミングの信号を前記合成過程での非合成対象の信号とする足切り処理を行なう一方、前記判定過程にて前記伝搬環境がマルチパス環境であると判定されると、前記足切り処理を行なわない制御過程と、
を有することを特徴とする、受信処理方法。
【請求項７】
前記判定過程では、
前記遅延プロファイルにおいて最大電力を示すパスタイミングの電力と他の複数のパスタイミングの電力和との比が所定の基準値を超えていると、前記伝搬環境がマルチパス環境でないと判定することを特徴とする、請求項６記載の受信処理方法。
【請求項８】
前記判定過程では、
前記遅延プロファイルにおいて最大電力を示すパスタイミングの電力と２番目に大きい電力を示すパスタイミングの電力との比が所定の基準値を超えていると、前記伝搬環境がマルチパス環境でないと判定することを特徴とする、請求項６記載の受信処理方法。
【請求項９】
前記制御過程では、
前記所定閾値以下の電力のパスタイミングの信号についての前記合成手段での重み付け合成係数を０にすることにより当該信号を前記非合成対象の信号とすることを特徴とする、請求項６〜８のいずれか１項に記載の受信処理方法。
【請求項１０】
前記合成過程で合成されうる複数タイミングの受信信号は、前記遅延プロファイルにおけるパスタイミングの信号であることを特徴とする、請求項６〜９のいずれか１項に記載の受信処理方法。
【発明の詳細な説明】
【技術分野】
【０００１】
本発明は、受信機及び受信処理方法に関する。本発明は、例えば、ＣＤＭＡ方式の無線端末の受信系に用いると好適である。
【背景技術】
【０００２】
近年、高速大容量の移動通信方式が盛んに研究されており、ＨＳＤＰＡ（High Speed Downlink Packet Access）に代表される、ＣＤＭＡ方式を用いた高速無線方式の開発も進んでいる。
【０００３】
ＨＳＤＰＡでは、無線の伝搬環境に対して適応的に送信フォーマットを変えることで、そのときの伝搬環境で最高に近い伝送速度を実現している。
【０００４】
このため、無線伝搬路が１パスあるいはそれに近い環境（以下、まとめて「１パス環境」と称する）では高速伝送のできる送信フォーマットが用いられるが、このようなフォーマットでは僅かな雑音の混入により特性が大幅に劣化することがある。
【０００５】
一方、ＣＤＭＡ方式では、レイク（ＲＡＫＥ）受信機がよく用いられる。レイク受信機では、複数の遅延波を合成することで受信特性を改善するが、１パス環境では遅延波の誤検出が頻繁に起こり、結果として雑音成分を合成してしまい、受信特性が劣化してしまうことがある。
【０００６】
そこで、例えば図１０に模式的に示すように、遅延波の振幅（電力）が所定の基準値よりも小さいもの（×印で示すパスタイミングの電力）については、一律に、雑音と判定して合成しないことで受信特性を改善できることがある。このような処理を足切り処理と呼ぶ。
【０００７】
なお、関連する既知の技術として、例えば下記の特許文献１〜３に記載された技術がある。
【０００８】
特許文献１には、マルチパス環境における受信状態（受信感度）及び受信電力測定性能を改善できるようにすることを目的として、複数パスから到達するスペクトラム拡散された受信信号の遅延時間に対する信号相関値電力分布である遅延プロファイルを定期的に測定し、その複数回の遅延プロファイル測定結果のそれぞれにおける上位所定個数の信号相関値電力のパス遅延同士を相互に比較してパス遅延が所定値差以内のパスを有効パスとして選択することが記載されている。
【０００９】
また、特許文献２には、アレイアンテナを採用し、簡易かつ信頼性の高いパス検出機能を備えた無線通信装置を提供することを目的として、アレイアンテナ装置の出力に対して特定符号による逆拡散処理を行なって遅延プロファイルを作成し、その遅延プロファイルの各要素のうち閾値以下のパスを零とし、その遅延プロファイルをビーム間について加算あるいは平均演算し、演算後の電力が閾値以上となるパスのみをパス検出結果とすることが記載されている。
【００１０】
特許文献３には、遅延波の受信電力が直接波の受信電力より大きい場合であっても、チャネル推定を正しく行えるようにすることを目的として、受信信号に含まれる既知データのＦＦＴ演算結果よりチャネル推定値を求め、該チャネル推定値にＩＦＦＴ演算を施してマルチパスの遅延プロファイルを求め、該遅延プロファイルのうち電力が最大となるパスの位置に基づいてＦＦＴ演算開始位置を決定することが記載されている。
【特許文献１】特開２００５−３５４２６３号公報
【特許文献２】国際公開ＷＯ２００３／０３２５４１号パンフレット
【特許文献３】特開２００２−２８０９４３号公報
【発明の開示】
【発明が解決しようとする課題】
【００１１】
本願の発明者は、前記の足切り処理により、１パスの時は特性を改善できるものの、特に高速移動時のマルチパス環境ではかえって特性を劣化させることを見い出した。これは、例えば図１１に模式的に示すように、足切り判定時には雑音成分と判定した遅延波がフェージングにより復調時には大きくなったり、逆に、足切り判定時には信号成分と判定した遅延波が復調時には小さくなったりすることがあるためであると考えられる。また、パス電力推定精度の向上にも限界があるため正しく足切りできないことも特性劣化の原因となるものと考えられる。
【００１２】
図１２は１パス環境とマルチパス環境（ＰＢ３，ＶＡ１２０）での足切り判定の閾値（以下、足切り閾値ともいう）に対する特性（スループット）を示している。この図１２において、特性１００が１パス時の足切り閾値に対する特性を示し、特性２００，３００がそれぞれマルチパス時の足切り閾値に対する特性を示している。
【００１３】
これらの特性１００，２００，３００から分かるように、１パス時には足切り閾値を大きくした方が特性を改善できるが、ＰＢ３（時速３ｋｍでの移動環境）やＶＡ１２０（時速１２０ｋｍでの移動環境）などのマルチパス環境では足切り判定精度が悪いために、足切り閾値を大きくすると、逆に特性が劣化している。即ち、足切り閾値に対して特性にトレードオフが生じることが発見された。
なお、前記特許文献１〜３のいずれにも、このようなトレードオフを考慮した足切り処理に関して開示も示唆もない。
【００１４】
本発明は、前記課題に鑑み創案されたもので、その目的の一つは、マルチパス環境での特性劣化を抑制しつつ、１パス環境での特性を改善することにある。
【００１５】
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１６】
前記目的を達成するために、本発明では、以下に示す受信機及び受信処理方法を用いる。
【００１７】
（１）即ち、本発明の受信機は、受信信号から遅延プロファイルを求める遅延プロファイル生成手段と、複数タイミングの受信信号を合成しうる合成手段と、前記遅延プロファイル生成手段で求められた遅延プロファイルに基づいて、前記受信信号の伝搬環境がマルチパス環境か否かを判定する判定手段と、前記判定手段にて前記伝搬環境がマルチパス環境でないと判定されると、前記遅延プロファイルにおいて所定閾値以下の電力のタイミングの信号を前記合成手段での非合成対象の信号とする足切り処理を行なう一方、前記判定手段にて前記伝搬環境がマルチパス環境であると判定されると、前記足切り処理を行なわない制御手段と、をそなえる。
【００１８】
（２）ここで、前記判定手段は、前記遅延プロファイルにおいて最大電力を示すパスタイミングの電力と他の複数のパスタイミングの電力和との比が所定の基準値を超えていると、前記伝搬環境がマルチパス環境でないと判定してもよい。
【００１９】
（３）また、前記判定手段は、前記遅延プロファイルにおいて最大電力を示すパスタイミングの電力と２番目に大きい電力を示すパスタイミングの電力との比が所定の基準値を超えていると、前記伝搬環境がマルチパス環境でないと判定してもよい。
【００２０】
（４）さらに、前記制御手段は、前記所定閾値以下の電力のパスタイミングの信号についての前記合成手段での重み付け合成係数を０にすることにより当該信号を前記非合成対象の信号としてもよい。
【００２１】
（５）また、前記合成手段で合成されうる複数タイミングの受信信号は、前記遅延プロファイルにおけるパスタイミングの信号であってもよい。
【００２２】
（６）さらに、本発明の受信処理方法は、受信信号から遅延プロファイルを求める遅延プロファイル生成過程と、複数タイミングの受信信号を合成しうる合成過程と、前記遅延プロファイル生成手段で求められた遅延プロファイルに基づいて、前記受信信号の伝搬環境がマルチパス環境か否かを判定する判定過程と、前記判定過程にて前記伝搬環境がマルチパス環境でないと判定されると、前記遅延プロファイルにおいて所定閾値以下の電力のタイミングの信号を前記合成過程での非合成対象の信号とする足切り処理を行なう一方、前記判定過程にて前記伝搬環境がマルチパス環境であると判定されると、前記足切り処理を行なわない制御過程と、を有する。
【００２３】
（７）ここで、前記判定過程では、前記遅延プロファイルにおいて最大電力を示すパスタイミングの電力と他の複数のパスタイミングの電力和との比が所定の基準値を超えていると、前記伝搬環境がマルチパス環境でないと判定してもよい。
【００２４】
（８）また、前記判定過程では、前記遅延プロファイルにおいて最大電力を示すパスタイミングの電力と２番目に大きい電力を示すパスタイミングの電力との比が所定の基準値を超えていると、前記伝搬環境がマルチパス環境でないと判定してもよい。
【００２５】
（９）さらに、前記制御過程では、前記所定閾値以下の電力のパスタイミングの信号についての前記合成手段での重み付け合成係数を０にすることにより当該信号を前記非合成対象の信号としてもよい。
【００２６】
（１０）また、前記合成過程で合成されうる複数タイミングの受信信号は、前記遅延プロファイルにおけるパスタイミングの信号であってもよい。
【発明の効果】
【００２７】
本発明によれば、マルチパス環境での特性劣化を抑制しつつ、１パス環境での特性を改善することができる。
【発明を実施するための最良の形態】
【００２８】
以下、図面を参照して本発明の実施の形態を説明する。ただし、本発明は、以下に示す実施形態に限定されず、本発明の趣旨を逸脱しない範囲で種々変形して実施できることはいうまでもない。
【００２９】
〔Ａ〕第１実施形態
前記課題は、伝搬環境に応じて足切り処理を選択的に実行することで解決できる。即ち、例えば、常に足切り処理を実施するのではなく、伝搬環境を長時間測定することで１パス環境であるか否かを判定し、１パス環境と判定したときのみ足切り処理を実行する。これにより、マルチパス環境での特性劣化を抑制しつつ、１パス環境での特性改善を図ることができる。尚、物理的に合成可能なパス数の総数（Ｎ）を超えるパス（例えば、相関の大きい順にパスを並べた場合のＮ＋１番目以降のパス）については、合成の対象に含まれないのは当然（ここで言う足切り処理とは別の処理とする）である。
【００３０】
ここで、１パス環境であるか否かは、フェージング変動よりも十分に長い時間測定して平均化した遅延プロファイル（以下、パスプロファイルともいう）において最大パス電力（電力が最大を示すパスの電力）と、それ以外の残りのパスの電力の和との比率によって判定することができる。
【００３１】
例えば図２に前記比率の時間変化を、典型的なマルチパス環境（ＰＢ１０，ＶＡ３０）と１パス環境（静的環境）とで比較して示す。ただし、ＰＢ１０は時速１０ｋｍでの移動環境、ＶＡ３０は時速３０ｋｍでの移動環境を表している。この図２に示すように、１パス環境（符号Ａ参照）とマルチパス環境（符号Ｂ，Ｃ参照）とでは前記比率の分布に明らかな差があることが分かる。
【００３２】
したがって、例えば図１に示すように、最大パス電力と、それ以外のパスの電力の和との比率が所定の基準値（１パス判定基準値：図２の例では４程度にすれば良い）を超えていれば、足切り処理を実行し、そうでなければ、足切り処理を実行しないとする制御が可能となる。
【００３３】
図３は本発明の第１実施形態に係るＣＤＭＡ受信装置のレイク受信機に着目した構成を示すブロック図で、この図３に示すレイク受信機は、携帯電話機等の無線端末の受信系に適用することができ、例えば、Ａ／Ｄ変換器１１，サーチャ１２，重み係数生成部１３，逆拡散部１４−１〜１４−ｎ（ｎは２以上の整数でフィンガ数に相当する），乗算器１５−１〜１５−ｎ，加算器１６及び足切り実行判定部１７をそなえて構成されている。
【００３４】
ここで、Ａ／Ｄ変換器１１は、図示しない受信アンテナにて受信され、低雑音増幅、周波数変換（ダウンコンバート）、自動利得制御（線形増幅）、直交検波などの所要の無線受信処理を施された信号（アナログベースバンド信号）をディジタル信号に変換するものである。
【００３５】
サーチャ（遅延プロファイル生成手段）１２は、当該Ａ／Ｄ変換器１１の出力（逆拡散部１４−１〜１４−ｎによる逆拡散前の受信信号）についてマッチドフィルタ等を用いたパスサーチを行なって遅延プロファイル（複数パスから到来する信号の遅延時間に対する信号相関値電力分布）を作成し、各パスタイミングの情報を重み係数生成部１３及び逆拡散部１４−ｉ（ｉ＝１〜ｎ）に与える機能を具備する。ただし、前記遅延プロファイルは、前記パスサーチを複数回行なってフェージング変動よりも十分に長い時間測定して平均化したものを用いるものとする。
【００３６】
逆拡散部１４−ｉは、それぞれ、サーチャ１２から与えられるパスタイミングでＡ／Ｄ変換器１１の出力を逆拡散するものであり、重み係数生成部１３は、Ａ／Ｄ変換器１１の出力と、サーチャ１２から与えられる各パスタイミングの情報とに基づいて、パス間の相関値（相関行列）を求め、当該相関値と、既知信号（パイロット信号）から求められる前記各パスタイミングでのチャネル推定値とに基づいて、逆拡散部１４−ｉでの逆拡散結果についての重み係数（レイク合成係数）Ｗｉを生成するものである。
【００３７】
乗算器１５−ｉは、それぞれ、対応する逆拡散部１４−ｉで得られた逆拡散結果に、重み係数生成部１３で生成された重み係数Ｗｉを乗算するものであり、加算器（合成手段）１６は、各乗算器１５−ｉの乗算結果（複数タイミングの受信信号）を加算（合成）するものである。つまり、これらの乗算器１５−ｉ及び加算器１６から成るブロックは、逆拡散結果を重み付け合成（レイク合成）するレイク合成回路としての機能を果たす。
【００３８】
そして、足切り実行判定部（判定手段）１７は、サーチャ１２によって得られた遅延プロファイルに基づいて、図１及び２により説明したとおり、最大パス電力と、それ以外のパスの電力の和との比率が１パス判定基準値を超えているか否かを判定することにより、受信信号の伝搬環境が１パス環境であるかマルチパス環境であるかを判定して、１パス環境と判定した場合には足切り処理を実行し、マルチパス環境と判定した場合には足切り処理を実行しないよう重み係数生成部１３を制御する機能を具備するものである。
【００３９】
ここで、前記足切り処理は、例えば、重み係数生成部１３において、チャネル推定値の電力が基準値よりも小さいパスタイミングの信号についての重み係数Ｗｉを０にすることで実施できる。つまり、重み係数生成部１３は、足切り実行判定部１７にて受信信号の伝搬環境がマルチパス環境でない（１パス環境である）と判定されると、前記遅延プロファイルにおいて所定閾値以下の電力のタイミングの信号を加算器１６での非合成対象の信号とする制御手段としての機能を果たす。
【００４０】
以下、上述のごとく構成されたレイク受信機の動作について説明すると、まず、前記受信アンテナで受信された信号は、低雑音増幅、周波数変換（ダウンコンバート）、自動利得制御（線形増幅）、直交検波などの所要の無線受信処理を施されたのち、Ａ／Ｄ変換器１１に入力され、当該Ａ／Ｄ変換器１１にてディジタルベースバンド信号に変換されて、サーチャ１２と重み係数生成部１３と各逆拡散部１４−ｉとにそれぞれ入力される。
【００４１】
サーチャ１２では、当該Ａ／Ｄ変換器１１の出力についてパスサーチを行なって、フェージング変動よりも十分に長い時間測定して平均化した遅延プロファイルを作成し、相関の高い各パスタイミングを逆拡散部１４−ｉに与える。
【００４２】
逆拡散部１４−ｉは、前記サーチャ１２から与えられたパスタイミングを逆拡散タイミングとしてＡ／Ｄ変換器１１から入力される信号を逆拡散し、その逆拡散結果が、それぞれ、対応する乗算器１５−ｉに入力される。
【００４３】
その一方で、足切り実行判定部１７は、サーチャ１２で得られた前記遅延プロファイルに基づいて、既述のとおりの１パス判定を行ない、１パス環境と判定した場合には足切り処理を実行し、マルチパス環境と判定した場合には足切り処理を実行しない。
【００４４】
即ち、１パス環境と判定した場合には、重み係数生成部１３において、チャネル推定値の電力が基準値よりも小さいパスについての重み係数Ｗｉを０にし、マルチパス環境と判定した場合には、生成した各パスタイミングの重み係数Ｗｉを有効として、各重み係数Ｗｉを乗算器１５−ｉに与える。
【００４５】
これにより、前記逆拡散結果は、乗算器１５−ｉにて、重み係数生成部１３から与えられた重み係数Ｗｉと乗算された後、加算器１６にて加算されて、重み付け合成結果として出力される。
【００４６】
以上のように、本例のレイク受信機によれば、足切り実行判定部１７により、パスサーチで求めた遅延プロファイルに基づいて、１パス環境／マルチパス環境を判定して足切り処理を実行する／しないを判定し、１パス環境と判定した場合にのみ足切り処理を実行するから、マルチパス環境での特性劣化を抑制しつつ、１パス環境での特性を改善することができる。
【００４７】
〔Ｂ〕第２実施形態
図５から図７は本発明の第２実施形態に係るＣＤＭＡ受信装置における足切り実行判定処理を説明する図で、図１及び図３に示した足切り実行判定部１７による足切り実行判定処理の変形例として、特にイコライザを用いた場合を示している。
【００４８】
図５に示すように、ＣＤＭＡ受信装置のイコライザ（等化器）の利得とレイク受信機の利得との差分（利得差）が所定の基準値（例えば、０）よりも小さいときに足切り処理を実行する。
【００４９】
ここで、前記利得差を求める構成例は図６に示すようになる。即ち、既知信号（パイロット信号）をイコライザ１８及びレイク受信機１９に入力して、それぞれの出力のＳ／Ｎ比をＳ／Ｎ計算部２０及び２１にて計算（推定）し、各計算結果の差分をＳ／Ｎ差分計算部２２にて計算することにより、イコライザ１８とレイク受信機１９との利得差を求めることができる。
【００５０】
なお、前記Ｓ／Ｎ比を計算（推定）するＳ／Ｎ計算部２０（２１）の典型的な構成例は図７に示すようになる。
【００５１】
即ち、前記既知信号（パイロット信号）をパイロットパターンキャンセル部３１に入力して受信信号のパイロット成分（パイロットパターン）をキャンセルし、得られた信号を所要シンボルにわたって平均化部３２にて平均化し電力化部３３にて電力化することにより信号成分（Ｓ）の電力値を求めるとともに、前記平均化部３２による平均化前後の信号の差分を減算器３４にて求めることができる。
【００５２】
そして、その差分を平均化部３５にて平均化し電力化部３６にて電力化することによりノイズ成分（Ｎ）の電力値を求め、得られた信号成分（Ｓ）及びノイズ成分（Ｎ）の各電力値の比をＳ／Ｎ計算部３７にて計算することにより、入力信号、つまりはイコライザ１８（又はレイク受信機１９）の出力のＳ／Ｎを求めることができる。
【００５３】
ここで、図５〜図７に示す計算の増大に配慮し、簡略化した方法について、さらに図４を用いて説明する。ここでは、大雑把にイコライザ１８の利得を見積もることで足切り処理の要否を判定するのである。
【００５４】
この図４に示すように、本例の足切り実行判定処理では、遅延プロファイルにおいて最大電力を示すパスの電力と２番目に大きな電力を示すパスの電力との比率が所定の基準値（１パス判定基準値）よりも大きい場合に１パス環境であると判定して足切り処理を実行し、前記比率が前記１パス判定基準値以下である場合にマルチパス環境であると判定して足切り処理を実行しないこととする。
【００５５】
イコライザの平均的な利得は、遅延プロファイルから推定することができ、図４では最も大きな２パスの電力比から推定している。この電力比がある程度大きくなれば、イコライザの利得は小さくなるため、当該電力比が１パス判定基準値よりも大きな時に足切り処理を実行する。換言すれば、イコライザの利得を推定し、その推定結果に応じて足切り処理をＯＮ／ＯＦＦ制御する。
【００５６】
一般にパス数が増えるほどイコライザ１８の利得は小さくなる傾向にあるので、マルチパス環境でのイコライザ利得は、マルチパスの内で最も大きな２パスから推定した利得よりも小さくなる。
【００５７】
即ち、最も大きな２パスから推定した利得が十分に小さければ、イコライザの利得も十分に小さくなる。２パス時の利得は、２パスの電力比と受信Ｓ／Ｎ比とによって求まるため、受信Ｓ／Ｎ比に応じた２パスの電力比を基に判定することで、図５に示す「利得差」による判定と同等の効果を少ない処理量で得ることができる。
【００５８】
なお、図８に、理想的な条件での、利得差と２パスの電力比との関係を示す。この図８において、符号Ａは受信Ｓ／Ｎ比＝６ｄＢのとき、符号Ｂは受信Ｓ／Ｎ比＝７ｄＢのとき、符号Ｃは受信Ｓ／Ｎ比＝８ｄＢのとき、符号Ｄは受信Ｓ／Ｎ比＝９ｄＢのとき、符号Ｅは受信Ｓ／Ｎ比＝１０ｄＢのときの関係（電力比対利得差特性）を示している。
【００５９】
この図８に示すグラフより、例えば、利得差１ｄＢ以下の時に足切り処理を実行するには、Ｓ／Ｎ比＝１０ｄＢ（特性Ｅ参照）のときは「１パス判定基準値」を１３に、Ｓ／Ｎ比＝９ｄＢ（特性Ｄ参照）のときは９に、Ｓ／Ｎ比＝８ｄＢ（特性Ｃ参照）のときは６に、などとそれぞれ設定すればよいことが分かる。
【００６０】
〔Ｃ〕第３実施形態
図９は本発明の第３実施形態に係るＣＤＭＡ受信装置のイコライザに着目した構成を示すブロック図で、この図９に示すイコライザは、携帯電話機等の無線端末の受信系に適用することができ、例えば、Ａ／Ｄ変換器４１，サーチャ４２，重み係数生成部４３，遅延回路（ＦＦ）４４−１〜４４−ｎ（ｎは２以上の整数），乗算器４５−１〜４５−ｎ，加算器４６，足切り実行判定部４７及び逆拡散部４８をそなえて構成されている。
【００６１】
即ち、この図９に示すイコライザは、図３に示したレイク受信機と略同じ構成を具備しており、逆拡散前の受信信号に対して、イコライザとしてもレイク受信機としても動作させることが可能に構成されている。
【００６２】
ここで、Ａ／Ｄ変換器４１は、図示しない受信アンテナにて受信され、低雑音増幅、周波数変換（ダウンコンバート）、自動利得制御（線形増幅）、直交検波などの所要の無線受信処理を施された信号（アナログベースバンド信号）をディジタル信号に変換するものである。
【００６３】
サーチャ（遅延プロファイル生成手段）４２は、当該Ａ／Ｄ変換器４１の出力についてマッチドフィルタ等を用いたパスサーチを行なって遅延プロファイルを作成し、パスタイミングの情報を重み係数生成部４３に与える機能を具備するものである。ただし、前記遅延プロファイルは、前記パスサーチを複数回行なってフェージング変動よりも十分に長い時間測定して平均化したものを用いるものとする。
【００６４】
遅延回路４４−ｉ（ｉ＝１〜ｎ）は、それぞれ、Ａ／Ｄ変換器４１の出力を所定時間（例えば、１チップ時間）ずつ遅延するものであり、重み係数生成部４３は、Ａ／Ｄ変換器４１の出力と、サーチャ４２から与えられるパスタイミングの情報とに基づいて、パス間の相関値（相関行列）を求め、当該相関値と、既知信号（パイロット信号）から求められるチャネル推定値とに基づいて、各遅延回路４４−ｉの出力についての重み係数（タップ係数）Ｗｉを生成するものである。
【００６５】
乗算器４５−ｉは、それぞれ、対応する遅延回路４４−ｉの出力に、重み係数生成部４３で生成された重み係数Ｗｉを乗算するものであり、加算器４６は、各乗算器４５−ｉの乗算結果を加算（合成）するものであり、逆拡散部４８は、当該加算器４６の出力（つまりは等化出力）を逆拡散するものである。
【００６６】
そして、足切り実行判定部（判定手段）４７は、サーチャ４２によって得られた遅延プロファイルに基づいて、既述のとおり、最大パス電力と、それ以外のパスの電力の和（あるいは、最大パス電力と２番目に大きいパス電力）との比率が１パス判定基準値を超えているか否かを判定することにより、受信信号の伝搬環境が１パス環境であるかマルチパス環境であるかを判定して、１パス環境と判定した場合には足切り処理を実行し、マルチパス環境と判定した場合には足切り処理を実行しないよう重み係数生成部４３を制御する機能を具備するものである。
【００６７】
本例においても、足切り処理は、例えば、チャネル推定値の電力が基準値よりも小さいパスタイミングの信号についての重み係数Ｗｉを０にすることで実行できる。つまり、重み係数生成部４３は、足切り実行判定部４７にて受信信号の伝搬環境がマルチパス環境でない（１パス環境である）と判定されると、前記遅延プロファイルにおいて所定閾値以下の電力のタイミングの信号を加算器４６での非合成対象の信号とする制御手段としての機能を果たす。
【００６８】
上述のごとく構成されたＣＤＭＡ受信装置では、前記受信アンテナで受信された信号が、低雑音増幅、周波数変換（ダウンコンバート）、自動利得制御（線形増幅）、直交検波などの所要の無線受信処理を施されたのち、Ａ／Ｄ変換器４１に入力され、当該Ａ／Ｄ変換器４１にてディジタルベースバンド信号に変換されて、サーチャ４２と重み係数生成部４３と各遅延回路４４−ｉとにそれぞれ入力される。
【００６９】
サーチャ４２では、当該Ａ／Ｄ変換器４１の出力についてパスサーチを行なって、フェージング変動よりも十分に長い時間測定して平均化した遅延プロファイルを作成し、相関の高いパスタイミングを重み係数生成部４３に与える。
【００７０】
遅延回路４４−ｉは、Ａ／Ｄ変換器４１の出力を単位時間（１チップ時間）ずつ遅延して、各タイミングの信号を乗算器４５−ｉに入力する。
【００７１】
その一方で、足切り実行判定部４７は、サーチャ４２で得られた前記遅延プロファイルに基づいて、既述のとおりの１パス判定を行ない、１パス環境と判定した場合には足切り処理を実行し、マルチパス環境と判定した場合には足切り処理を実行しない。
【００７２】
即ち、１パス環境と判定した場合には、重み係数生成部４３において、チャネル推定値の電力が基準値よりも小さいパスについての重み係数（タップ係数）Ｗｉを０にし、マルチパス環境と判定した場合には、生成した各タイミングの重み係数Ｗｉを有効として、各重み係数Ｗｉを乗算器４５−ｉに与える。
【００７３】
ここで、１パス環境と判定された場合の重み係数Ｗｉとして第１及び第２実施形態におけるレイク受信機と同じ値（レイク合成係数）を用いると、図９に示すイコライザはレイク受信機として動作させることができる。
【００７４】
足切り処理を実行すべき１パス環境ではイコライザの利得もそれほど得られない環境である上、無効なタイミングの信号が合成されることによる特性劣化も生じる。
そこで、足切り実行判定部４７にて受信信号の伝搬環境が１パス環境であると判定されて足切り処理を実行する際には、等化処理は行なわず、足切り処理後の重み係数Ｗｉをレイク合成係数として用いることで、無効なタイミングの信号を取り除いて特性改善を図ることができる。
【００７５】
なお、乗算器４５−ｉの各出力は、加算器１６にて加算された後、逆拡散部４８にて逆拡散されて復調される。
〔Ｄ〕その他
上述した実施形態においては、本発明をレイク受信機、イコライザに適用した場合について説明したが、これらと同様の原理（複数タイミングの受信信号系列を重み付け合成する構成）を用いる復調方式にも適用することが可能である。
【００７６】
〔Ｅ〕付記
（付記１）
受信信号から遅延プロファイルを求める遅延プロファイル生成手段と、
複数タイミングの受信信号を合成しうる合成手段と、
前記遅延プロファイル生成手段で求められた遅延プロファイルに基づいて、前記受信信号の伝搬環境がマルチパス環境か否かを判定する判定手段と、
前記判定手段にて前記伝搬環境がマルチパス環境でないと判定されると、前記遅延プロファイルにおいて所定閾値以下の電力のタイミングの信号を前記合成手段での非合成対象の信号とする制御手段と、
をそなえたことを特徴とする、受信機。
【００７７】
（付記２）
前記判定手段は、
前記遅延プロファイルにおいて最大電力を示すパスタイミングの電力と他の複数のパスタイミングの電力和との比が所定の基準値を超えていると、前記伝搬環境がマルチパス環境でないと判定することを特徴とする、付記１記載の受信機。
【００７８】
（付記３）
前記判定手段は、
前記遅延プロファイルにおいて最大電力を示すパスタイミングの電力と２番目に大きい電力を示すパスタイミングの電力との比が所定の基準値を超えていると、前記伝搬環境がマルチパス環境でないと判定することを特徴とする、付記１記載の受信機。
【００７９】
（付記４）
前記制御手段は、
前記所定閾値以下の電力のパスタイミングの信号についての前記合成手段での重み付け合成係数を０にすることにより当該信号を前記非合成対象の信号とすることを特徴とする、付記１〜３のいずれか１項に記載の受信機。
【００８０】
（付記５）
前記合成手段で合成されうる複数タイミングの受信信号は、前記遅延プロファイルにおけるパスタイミングの信号であることを特徴とする、付記１〜４のいずれか１項に記載の受信機。
【００８１】
（付記６）
前記合成手段で合成されうる前記複数タイミングの受信信号は、前記受信信号を等化処理すべく複数回遅延した各信号のいずれかであることを特徴とする、付記１〜４のいずれか１項に記載の受信機。
【００８２】
（付記７）
前記重み付け合成係数は、レイク合成処理のレイク合成係数又は等化処理のタップ係数であることを特徴とする、付記４記載の受信機。
【００８３】
（付記８）
受信信号から遅延プロファイルを求める遅延プロファイル生成過程と、
複数タイミングの受信信号を合成しうる合成過程と、
前記遅延プロファイル生成手段で求められた遅延プロファイルに基づいて、前記受信信号の伝搬環境がマルチパス環境か否かを判定する判定過程と、
前記判定過程にて前記伝搬環境がマルチパス環境でないと判定されると、前記遅延プロファイルにおいて所定閾値以下の電力のタイミングの信号を前記合成過程での非合成対象の信号とする制御過程と、
を有することを特徴とする、受信処理方法。
【００８４】
（付記９）
前記判定過程では、
前記遅延プロファイルにおいて最大電力を示すパスタイミングの電力と他の複数のパスタイミングの電力和との比が所定の基準値を超えていると、前記伝搬環境がマルチパス環境でないと判定することを特徴とする、付記８記載の受信処理方法。
【００８５】
（付記１０）
前記判定過程では、
前記遅延プロファイルにおいて最大電力を示すパスタイミングの電力と２番目に大きい電力を示すパスタイミングの電力との比が所定の基準値を超えていると、前記伝搬環境がマルチパス環境でないと判定することを特徴とする、付記８記載の受信処理方法。
【００８６】
（付記１１）
前記制御過程では、
前記所定閾値以下の電力のパスタイミングの信号についての前記合成手段での重み付け合成係数を０にすることにより当該信号を前記非合成対象の信号とすることを特徴とする、付記８〜１０のいずれか１項に記載の受信処理方法。
【００８７】
（付記１２）
前記合成過程で合成されうる複数タイミングの受信信号は、前記遅延プロファイルにおけるパスタイミングの信号であることを特徴とする、付記８〜１１のいずれか１項に記載の受信処理方法。
【００８８】
（付記１３）
前記合成過程で合成されうる前記複数タイミングの受信信号は、前記受信信号を等化処理すべく複数回遅延した各信号のいずれかであることを特徴とする、付記８〜１１のいずれか１項に記載の受信処理方法。
【００８９】
（付記１４）
前記重み付け合成係数は、レイク合成処理のレイク合成係数又は等化処理のタップ係数であることを特徴とする、付記１１記載の受信処理方法。
【産業上の利用可能性】
【００９０】
以上詳述したように、本発明によれば、マルチパス環境での特性劣化を抑制しつつ、１パス環境での特性を改善することができるから、無線通信技術分野に極めて有用と考えられる。
【図面の簡単な説明】
【００９１】
【図１】本発明の第１実施形態に係る足切り実行判定を説明する図である。
【図２】本発明の第１実施形態に係る足切り実行判定を説明すべく最大パス電力とそれ以外の電力の比率を示すグラフである。
【図３】本発明の第１実施形態に係るＣＤＭＡ受信装置のレイク受信機に着目した構成を示すブロック図である。
【図４】本発明の第２実施形態に係る足切り実行判定を説明する図である。
【図５】本発明の第２実施形態に係る足切り実行判定を説明する図である。
【図６】図５に示す利得差の計算を説明するブロック図である。
【図７】図６に示すＳ／Ｎ計算を説明するブロック図である
【図８】本発明の第２実施形態に係る足切り実行判定の基準値を説明すべく最大パス電力と２番目に大きいパス電力との比と利得差との関係を示すグラフである。
【図９】本発明の第３実施形態に係るＣＤＭＡ受信装置のイコライザに着目した構成を示すブロック図である。
【図１０】従来のＣＤＭＡ受信機における足切り処理を説明する図である。
【図１１】従来の足切り処理の課題を説明する図である。
【図１２】従来の足切り処理における足切り閾値に対するスループット特性を示すグラフである。
【符号の説明】
【００９２】
１１，４１  Ａ／Ｄ変換器
１２，４２  サーチャ（遅延プロファイル生成手段）
１３，４３  重み係数生成部（制御手段）
１４−１〜１４−ｎ，４８  逆拡散部
１５−１〜１５−ｎ，４５−１〜４５−ｎ  乗算器
１６，４６  加算器（合成手段）
１７，４７  足切り実行判定部（判定手段）
４４−１〜４４−ｎ  遅延回路（ＦＦ）
【図１】
0005231762.tif 000002
【図２】
0005231762.tif 000003
【図３】
0005231762.tif 000004
【図４】
0005231762.tif 000005
【図５】
0005231762.tif 000006
【図６】
0005231762.tif 000007
【図７】
0005231762.tif 000008
【図８】
0005231762.tif 000009
【図９】
0005231762.tif 000010
【図１０】
0005231762.tif 000011
【図１１】
0005231762.tif 000012
【図１２】
0005231762.tif 000013